(57)【要約】      （修正有）【課題】釣銭準備金に係る紙幣を用意するにあたり操作者に大きな負担をかけることなく、しかも防盗性を向上させることができる紙幣処理方法および紙幣釣銭機を提供する。【解決手段】紙幣釣銭機１０から紙幣を回収する際における紙幣処理方法は、第１の収納カセットとしての回収カセットを紙幣釣銭機１０に装着し、当該紙幣釣銭機１０の紙幣の在高から釣銭準備金として予め設定された金額を差し引いた金額の紙幣を回収カセットに収納させ、その後当該回収カセットを紙幣釣銭機１０から回収する工程と、第２の収納カセットとしてのリサイクルカセットを紙幣釣銭機１０に装着し、釣銭準備金として予め設定された金額の紙幣をリサイクルカセットに収納させ、その後当該リサイクルカセットを紙幣釣銭機１０から回収する工程と、を備えている。【選択図】図２
2014010672.tif 000002
【特許請求の範囲】
【請求項１】
紙幣釣銭機から紙幣を回収する際における紙幣処理方法であって、
第１の収納カセットを前記紙幣釣銭機に装着し、当該紙幣釣銭機の紙幣の在高から釣銭準備金として予め設定された金額を差し引いた金額の紙幣を前記第１の収納カセットに収納させ、その後当該第１の収納カセットを前記紙幣釣銭機から回収する工程と、
第２の収納カセットを前記紙幣釣銭機に装着し、釣銭準備金として予め設定された金額の紙幣を前記第２の収納カセットに収納させ、その後当該第２の収納カセットを前記紙幣釣銭機から回収する工程と、
を備えた、紙幣処理方法。
【請求項２】
前記第２の収納カセットには、当該第２の収納カセットに収納された紙幣に関しての前記紙幣釣銭機の識別部による識別結果、または釣銭準備金に係る情報を記憶するための記憶部が設けられている、請求項１記載の紙幣処理方法。
【請求項３】
前記第２の収納カセットには、紙幣の繰り出しを行う繰出機構が設けられており、
前記紙幣釣銭機に紙幣を補充する際に、釣銭準備金として予め設定された金額の紙幣が収納された前記第２の収納カセットを前記紙幣釣銭機に装着し、前記第２の収納カセットに収納された紙幣を前記繰出機構により当該第２の収納カセットから繰り出して前記紙幣釣銭機に補充するようになっている、請求項１記載の紙幣処理方法。
【請求項４】
前記第２の収納カセットには、当該第２の収納カセットに収納された紙幣に関しての前記紙幣釣銭機の識別部による識別結果、または釣銭準備金に係る情報を記憶するための記憶部が設けられており、
前記第２の収納カセットに収納された紙幣を前記紙幣釣銭機に補充する際に、前記第２の収納カセットの前記記憶部に記憶された情報を、前記紙幣釣銭機に設けられた記憶部に書き込むようになっている、請求項３記載の紙幣処理方法。
【請求項５】
前記紙幣釣銭機における同一の収容スペースに前記第１の収納カセットおよび前記第２の収納カセットの何れも選択的に収容させることができるようになっている、請求項１乃至４のいずれか一項に記載の紙幣処理方法。
【請求項６】
前記紙幣釣銭機には、前記第１の収納カセットが収容される第１の収容スペースおよび前記第２の収納カセットが収容される第２の収容スペースがそれぞれ設けられている、請求項１乃至４のいずれか一項に記載の紙幣処理方法。
【請求項７】
前記第１の収納カセットは、紙幣が積層状態で収納されるスタッカタイプのものである、請求項１乃至６のいずれか一項に記載の紙幣処理方法。
【請求項８】
前記第１の収納カセットには、紙幣の繰り出しを行う繰出機構が設けられている、請求項１乃至６のいずれか一項に記載の紙幣処理方法。
【請求項９】
１つの前記第２の収納カセットにより、複数の前記紙幣釣銭機から釣銭準備金に係る紙幣を回収することができるようになっている、請求項１記載の紙幣処理方法。
【請求項１０】
前記第２の収納カセットには、前記紙幣釣銭機の個体識別情報を記憶するための記憶部が設けられており、前記紙幣釣銭機に紙幣を補充する際に、当該紙幣釣銭機に装着された前記第２の収納カセットの前記記憶部に記憶された個体識別情報を確認し、釣銭準備金としての紙幣が回収されていない紙幣釣銭機に前記第２の収納カセットが装着されたときには、この紙幣釣銭機への前記第２の収納カセットからの紙幣の補充を禁止する、請求項９記載の紙幣処理方法。
【請求項１１】
前記第２の収納カセットには、前記紙幣釣銭機の個体識別情報を記憶するための記憶部が設けられており、前記紙幣釣銭機に紙幣を補充する際に、当該紙幣釣銭機に装着された前記第２の収納カセットの前記記憶部に記憶された個体識別情報を確認し、釣銭準備金としての紙幣が回収されていない紙幣釣銭機に前記第２の収納カセットが装着されたときには、この情報を出力する、請求項９記載の紙幣処理方法。
【請求項１２】
前記第２の収納カセットには、前記紙幣釣銭機の個体識別情報を記憶するための記憶部が設けられており、前記紙幣釣銭機に紙幣を補充する際に、釣銭準備金としての紙幣が回収された紙幣釣銭機の一覧の情報を出力する、請求項９記載の紙幣処理方法。
【請求項１３】
第１の収納カセットおよび第２の収納カセットがそれぞれ装着可能な紙幣釣銭機であって、
前記紙幣釣銭機から紙幣を回収する際に、前記紙幣釣銭機の紙幣の在高から釣銭準備金として予め設定された金額を差し引いた金額の紙幣を、前記紙幣釣銭機に装着された前記第１の収納カセットに収納させるとともに、釣銭準備金として予め設定された金額の紙幣を、前記紙幣釣銭機に装着された前記第２の収納カセットに収納させるよう制御を行う制御部を備えた、紙幣釣銭機。
【請求項１４】
前記第２の収納カセットには、紙幣の繰り出しを行う繰出機構が設けられており、
前記紙幣釣銭機に紙幣を補充する際に、釣銭準備金として予め設定された金額の紙幣が収納された前記第２の収納カセットを前記紙幣釣銭機に装着し、前記第２の収納カセットに収納された紙幣を前記繰出機構により当該第２の収納カセットから繰り出して前記紙幣釣銭機に補充するようになっている、請求項１３記載の紙幣釣銭機。
【発明の詳細な説明】
【技術分野】
【０００１】
本発明は、紙幣釣銭機から紙幣を回収する際における紙幣処理方法、および紙幣釣銭機に関する。
【背景技術】
【０００２】
スーパーマーケットやコンビニエンスストア等の店舗において、様々なタイプの紙幣釣銭機や硬貨釣銭機が用いられるようになっている。より詳細に説明すると、店舗は、店員が顧客との間で実際に現金のやり取りを行うフロント領域と、フロント領域における現金や商品を管理するバックヤード領域とに区分けされている。そして、フロント領域において、紙幣釣銭機および硬貨釣銭機からなる現金精算装置やＰＯＳレジスター等が設置されており、また、バックヤード領域において、紙幣出納装置や上位端末等が設置されている。
【０００３】
また、小型の店舗では、バックヤード領域に紙幣出納装置や上位端末等を設置する余裕がなく、フロント領域にのみ現金精算装置やＰＯＳレジスター等が設置されている場合もある。ここで、フロント領域に設置される現金精算装置の紙幣釣銭機では、回収カセットが着脱自在に装着されるようになっている。そして、例えば店舗の営業時間後に、紙幣釣銭機から回収カセットを取り出すことによりこの回収カセットに収納された紙幣を回収し、回収された紙幣の中から翌日の釣銭準備金に係る紙幣を手動で取り分け、翌日の営業時間前に手動で釣銭準備金に係る紙幣を紙幣釣銭機に補充するようになっている。フロント領域に設置される紙幣釣銭機としては、例えば特許文献１等に開示されるものが知られている。
【先行技術文献】
【特許文献】
【０００４】
【特許文献１】国際特許出願公開公報ＷＯ２００８／０５９５５７
【発明の概要】
【発明が解決しようとする課題】
【０００５】
しかしながら、特許文献１等に開示されるような従来の紙幣釣銭機では、回収カセットにより回収された紙幣の中から翌日の釣銭準備金に係る紙幣を手動で取り分け、翌日の営業時間前に手動で釣銭準備金に係る紙幣を紙幣釣銭機に補充するため、釣銭準備金を用意するにあたり操作者にとって手間がかかるとともに、釣銭準備金に係る紙幣の補充が手動で行われるため悪意ある操作者による横領等が生じるおそれがあり安全面で問題がある。
【０００６】
本発明は、このような点を考慮してなされたものであり、釣銭準備金に係る紙幣を用意するにあたり操作者に大きな負担をかけることなく、しかも防盗性を向上させることができる紙幣処理方法および紙幣釣銭機を提供することを目的とする。
【課題を解決するための手段】
【０００７】
本発明の紙幣処理方法は、紙幣釣銭機から紙幣を回収する際における紙幣処理方法であって、第１の収納カセットを前記紙幣釣銭機に装着し、当該紙幣釣銭機の紙幣の在高から釣銭準備金として予め設定された金額を差し引いた金額の紙幣を前記第１の収納カセットに収納させ、その後当該第１の収納カセットを前記紙幣釣銭機から回収する工程と、第２の収納カセットを前記紙幣釣銭機に装着し、釣銭準備金として予め設定された金額の紙幣を前記第２の収納カセットに収納させ、その後当該第２の収納カセットを前記紙幣釣銭機から回収する工程と、を備えている。
【０００８】
このような紙幣処理方法によれば、紙幣釣銭機から紙幣を回収する際に、第１の収納カセットを紙幣釣銭機に装着し、この紙幣釣銭機の紙幣の在高から釣銭準備金として予め設定された金額を差し引いた金額の紙幣を第１の収納カセットに収納させ、その後第１の収納カセットを紙幣釣銭機から回収する。また、第２の収納カセットを紙幣釣銭機に装着し、釣銭準備金として予め設定された金額の紙幣を第２の収納カセットに収納させ、その後第２の収納カセットを紙幣釣銭機から回収する。このように、釣銭準備金に係る紙幣を用意するにあたり、回収カセットにより回収された紙幣の中から翌日の釣銭準備金に係る紙幣を手動で取り分ける必要が無くなるため、操作者に大きな負担をかけることがない。また、釣銭準備金としての紙幣を第２の収納カセットに収納させることにより防盗性を向上させることができる。
【０００９】
本発明の紙幣処理方法においては、前記第２の収納カセットには、当該第２の収納カセットに収納された紙幣に関しての前記紙幣釣銭機の識別部による識別結果、または釣銭準備金に係る情報を記憶するための記憶部が設けられていてもよい。
【００１０】
本発明の紙幣処理方法においては、前記第２の収納カセットには、紙幣の繰り出しを行う繰出機構が設けられており、前記紙幣釣銭機に紙幣を補充する際に、釣銭準備金として予め設定された金額の紙幣が収納された前記第２の収納カセットを前記紙幣釣銭機に装着し、前記第２の収納カセットに収納された紙幣を前記繰出機構により当該第２の収納カセットから繰り出して前記紙幣釣銭機に補充するようになっていてもよい。
【００１１】
この際に、前記第２の収納カセットには、当該第２の収納カセットに収納された紙幣に関しての前記紙幣釣銭機の識別部による識別結果、または釣銭準備金に係る情報を記憶するための記憶部が設けられており、前記第２の収納カセットに収納された紙幣を前記紙幣釣銭機に補充する際に、前記第２の収納カセットの前記記憶部に記憶された情報を、前記紙幣釣銭機に設けられた記憶部に書き込むようになっていてもよい。
【００１２】
本発明の紙幣処理方法においては、前記紙幣釣銭機における同一の収容スペースに前記第１の収納カセットおよび前記第２の収納カセットの何れも選択的に収容させることができるようになっていてもよい。
【００１３】
あるいは、前記紙幣釣銭機には、前記第１の収納カセットが収容される第１の収容スペースおよび前記第２の収納カセットが収容される第２の収容スペースがそれぞれ設けられていてもよい。
【００１４】
本発明の紙幣処理方法においては、前記第１の収納カセットは、紙幣が積層状態で収納されるスタッカタイプのものであってもよい。
【００１５】
あるいは、前記第１の収納カセットには、紙幣の繰り出しを行う繰出機構が設けられていてもよい。
【００１６】
本発明の紙幣処理方法においては、１つの前記第２の収納カセットにより、複数の前記紙幣釣銭機から釣銭準備金に係る紙幣を回収することができるようになっていてもよい。
【００１７】
この際に、前記第２の収納カセットには、前記紙幣釣銭機の個体識別情報を記憶するための記憶部が設けられており、前記紙幣釣銭機に紙幣を補充する際に、当該紙幣釣銭機に装着された前記第２の収納カセットの前記記憶部に記憶された個体識別情報を確認し、釣銭準備金としての紙幣が回収されていない紙幣釣銭機に前記第２の収納カセットが装着されたときには、この紙幣釣銭機への前記第２の収納カセットからの紙幣の補充を禁止するようになっていてもよい。
【００１８】
また、前記第２の収納カセットには、前記紙幣釣銭機の個体識別情報を記憶するための記憶部が設けられており、前記紙幣釣銭機に紙幣を補充する際に、当該紙幣釣銭機に装着された前記第２の収納カセットの前記記憶部に記憶された個体識別情報を確認し、釣銭準備金としての紙幣が回収されていない紙幣釣銭機に前記第２の収納カセットが装着されたときには、この情報を出力するようになっていてもよい。
【００１９】
また、前記第２の収納カセットには、前記紙幣釣銭機の個体識別情報を記憶するための記憶部が設けられており、前記紙幣釣銭機に紙幣を補充する際に、釣銭準備金としての紙幣が回収された紙幣釣銭機の一覧の情報を出力するようになっていてもよい。
【００２０】
本発明の紙幣釣銭機は、第１の収納カセットおよび第２の収納カセットがそれぞれ装着可能な紙幣釣銭機であって、前記紙幣釣銭機から紙幣を回収する際に、前記紙幣釣銭機の紙幣の在高から釣銭準備金として予め設定された金額を差し引いた金額の紙幣を、前記紙幣釣銭機に装着された前記第１の収納カセットに収納させるとともに、釣銭準備金として予め設定された金額の紙幣を、前記紙幣釣銭機に装着された前記第２の収納カセットに収納させるよう制御を行う制御部を備えている。
【００２１】
このような紙幣釣銭機によれば、紙幣釣銭機から紙幣を回収する際に、第１の収納カセットを紙幣釣銭機に装着し、この紙幣釣銭機の紙幣の在高から釣銭準備金として予め設定された金額を差し引いた金額の紙幣を第１の収納カセットに収納させ、その後第１の収納カセットを紙幣釣銭機から回収する。また、第２の収納カセットを紙幣釣銭機に装着し、釣銭準備金として予め設定された金額の紙幣を第２の収納カセットに収納させ、その後第２の収納カセットを紙幣釣銭機から回収する。このように、釣銭準備金に係る紙幣を用意するにあたり、回収カセットにより回収された紙幣の中から翌日の釣銭準備金に係る紙幣を手動で取り分ける必要が無くなるため、操作者に大きな負担をかけることがない。また、釣銭準備金としての紙幣を第２の収納カセットに収納させることにより防盗性を向上させることができる。
【００２２】
本発明の紙幣釣銭機においては、前記第２の収納カセットには、紙幣の繰り出しを行う繰出機構が設けられており、前記紙幣釣銭機に紙幣を補充する際に、釣銭準備金として予め設定された金額の紙幣が収納された前記第２の収納カセットを前記紙幣釣銭機に装着し、前記第２の収納カセットに収納された紙幣を前記繰出機構により当該第２の収納カセットから繰り出して前記紙幣釣銭機に補充するようになっていてもよい。
【発明の効果】
【００２３】
本発明の紙幣処理方法および紙幣釣銭機によれば、釣銭準備金に係る紙幣を用意するにあたり操作者に大きな負担をかけることなく、しかも防盗性を向上させることができる。
【図面の簡単な説明】
【００２４】
【図１】本発明の一の実施の形態における紙幣釣銭機の外観を示す斜視図である。
【図２】図１に示す紙幣釣銭機の内部構成を示す側面図である。
【図３】図１および図２に示す紙幣釣銭機における制御ブロック図である。
【図４】（ａ）は、回収カセットの構成を示す構成図であり、（ｂ）は、リサイクルカセットの構成を示す構成図である。
【図５】本発明の変形例における紙幣釣銭機の内部構成を示す側面図である。
【発明を実施するための形態】
【００２５】
以下、本発明の一の実施の形態における紙幣処理方法および紙幣釣銭機について図面を参照して説明する。図１乃至図４は、本実施の形態に係る紙幣処理方法および紙幣釣銭機を示す図である。このうち、図１は、本実施の形態における紙幣釣銭機の外観を示す斜視図であり、図２は、図１に示す紙幣釣銭機の内部構成を示す側面図である。また、図３は、図１および図２に示す紙幣釣銭機における制御ブロック図である。また、図４（ａ）は、回収カセットの構成を示す構成図であり、図４（ｂ）は、リサイクルカセットの構成を示す構成図である。
【００２６】
まず、図１乃至図３を用いて紙幣釣銭機１０の構成について説明する。紙幣釣銭機１０は、例えば、店舗において店員が顧客との間で実際に現金をやり取りするフロント領域に設けられており、店員によって操作されるＰＯＳレジスター（図示せず）等と通信可能に接続され、代金として顧客から受け取った紙幣、および、釣銭として顧客へ支払う紙幣を処理および収納するようになっている。具体的には、ＰＯＳレジスターで計算された商品代金と、紙幣釣銭機１０および硬貨釣銭機からなる現金精算装置に入金された金額との差額を釣銭として出金するにあたり、紙幣釣銭機１０は、入金された紙幣を計数して収納し、釣銭の紙幣を出金するようになっている。
【００２７】
図１に示すように、紙幣釣銭機１０は、筐体１２と、入金部２０と、出金部２２とを備えている。入金部２０は、バラ紙幣を筐体１２の外部から内部に投入するための入金口を有している。また、出金部２２は、バラ紙幣を筐体１２の内部から外部に投出するための出金口を有している。
【００２８】
図２に示すように、入金部２０には入金部カバー２１が設けられている。入金部カバー２１の下部には隙間があり、この入金部カバー２１を閉じていても小枚数の紙幣の投入が可能となっている。一方、大量の紙幣を投入する場合には、操作者は入金部カバー２１を開けて紙幣を入金部２０に投入する。入金部２０は、当該入金部２０に投入された紙幣を１枚ずつ後述する搬送部２４に繰り出すようになっている。
【００２９】
また、出金部２２には出金部シャッタ２３が設けられている。この出金部シャッタ２３は通常は出金部２２の出金口を閉じているが、紙幣の出金時において後述する搬送部２４から出金部２２に所望の枚数の紙幣が搬送されたときには、この出金部シャッタ２３が開き、操作者は出金部２２に集積された紙幣を取り出すことができるようになっている。
【００３０】
図２に示すように、紙幣釣銭機１０において筐体１２内には搬送部２４が設けられており、当該搬送部２４によって、入金部２０の入金口により筐体１２内に投入された紙幣が筐体１２内で１枚ずつ搬送されるようになっている。また、搬送部２４には識別部２６が設けられており、この識別部２６によって、搬送部２４により搬送される紙幣の金種、真偽（真正な紙幣か否か）、正損、新旧等が識別されるようになっている。
【００３１】
また、筐体１２内において複数の収納繰出部２８が設けられており、各収納繰出部２８はそれぞれ搬送部２４に接続されている。各収納繰出部２８は、入金部２０から筐体１２内に投入され識別部２６により識別された紙幣を金種別に収納するようになっている。より詳細には、識別部２６による識別結果に基づいて、紙幣は搬送部２４により各収納繰出部２８に金種別に送られるようになっている。また、各収納繰出部２８は、当該収納繰出部２８に収納された紙幣を１枚ずつ搬送部２４に繰り出すことができるようになっている。各収納繰出部２８は、図２に示すような、紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００３２】
また、図２に示すように、筐体１２内においてカセット装着部４０が設けられている。このカセット装着部４０には、図４に示すような回収カセット４２およびリサイクルカセット４４のうち何れか一方のカセットが着脱自在に装着されるようになっている。すなわち、紙幣釣銭機１０における同一の収容スペース（具体的には、カセット装着部４０）に、回収カセット４２およびリサイクルカセット４４の何れも選択的に収納させることができるようになっている。
【００３３】
図４（ａ）に示すように、回収カセット４２は例えばスタッカ式のものからなり、複数の紙幣（図４（ａ）において参照符号Ｐで表示）が積層状態で集積される集積部４２ａが回収カセット４２内に設けられている。回収カセット４２がカセット装着部４０に装着されたときに、紙幣釣銭機１０の搬送部２４から回収カセット４２に送られた紙幣は集積部４２ａに積層状態で集積されるようになる。店舗の営業時間中はカセット装着部４０に回収カセット４２が装着されるようになっており、例えば紙幣釣銭機１０の筐体１２内に投入されたが各収納繰出部２８に収納することができないようなオーバーフロー紙幣や各収納繰出部２８に収納するように設定されていない紙幣が搬送部２４により回収カセット４２に送られて当該回収カセット４２に収納されるようになっている。
【００３４】
また、図４（ｂ）に示すように、リサイクルカセット４４は、紙幣を１枚ずつ一対のテープ４４ａ、４４ｂ間に挟み込んだ状態でドラム４４ｃによって当該テープ４４ａ、４４ｂを紙幣とともに巻き取るテープリール式のものとなっている。リサイクルカセット４４がカセット装着部４０に装着されたときに、紙幣釣銭機１０の搬送部２４からリサイクルカセット４４に送られた紙幣は一対のテープ４４ａ、４４ｂ間に挟み込まれてこれらの一対のテープ４４ａ、４４ｂとともにドラム４４ｃに巻き取られるようになっている。このようにして、リサイクルカセット４４に収納された紙幣については、紙幣釣銭機１０のカセット装着部４０に当該リサイクルカセット４４を装着しない限り、外部から取り出すことができないようになっている。例えば、リサイクルカセット４４に収納された紙幣を当該リサイクルカセット４４の外部から無理やり取ろうとすると、リサイクルカセット４４の内部で防盗用のインキが紙幣に噴霧されるようになっている。このような防盗用のインキが噴霧された紙幣により、リサイクルカセット４４が盗難物であることを確認することができるようになる。このように、図４（ｂ）に示すような構成のリサイクルカセット４４を用いることによって、操作者が紙幣に触れることを防止することができるようになる。本発明では、一対のテープ４４ａ、４４ｂおよびドラム４４ｃにより、リサイクルカセット４４に収納された紙幣を外部に繰り出すための繰出機構が構成されている。
【００３５】
また、リサイクルカセット４４には、ＩＣタグ等の記憶部４５が設けられている。また、紙幣釣銭機１０のカセット装着部４０には、当該カセット装着部４０に装着されたリサイクルカセット４４の記憶部４５に対して例えば非接触で情報の読み書きを行う読み書き部４６が設けられている。また、リサイクルカセット４４の記憶部４５に記憶されている内容は、電気的通信により読み書きが行われるようになっていてもよい。記憶部４５に記憶される情報の詳細については後述する。
【００３６】
また、図２、図４に示すように、入金部２０、出金部２２、搬送部２４における各搬送路、収納繰出部２８、回収カセット４２、リサイクルカセット４４にはそれぞれ紙幣検知センサ３０が設けられており、これらの紙幣検知センサ３０によって、紙幣の有無や搬送される紙幣の通過を検知するようになっている。
【００３７】
また、図３に示すように、紙幣釣銭機１０には制御部５０が設けられており、この制御部５０により紙幣釣銭機１０の各構成要素が制御されるようになっている。より具体的には、制御部５０には入金部２０、出金部２２、搬送部２４、識別部２６、収納繰出部２８、紙幣検知センサ３０および読み書き部４６等がそれぞれ接続されている。ここで、識別部２６による紙幣の識別結果に係る情報や紙幣検知センサ３０による検知情報が制御部５０に送られるようになっている。また、リサイクルカセット４４がカセット装着部４０に装着されたときに、読み書き部４６により読み取られた、記憶部４５に記憶された情報が制御部５０に送られるようになっている。また、制御部５０は入金部２０、出金部２２、搬送部２４、収納繰出部２８等に制御信号を送りこれらの構成要素の制御を行うようになっている。
【００３８】
また、制御部５０には報知部５２、操作部５４、記憶部５６、インターフェース５８等がそれぞれ接続されている。制御部５０はインターフェース５８により上位装置６０、具体的には例えばＰＯＳシステム等と信号の送受信を行うことができるようになっている。また、報知部５２は、例えば音声や表示により操作者に対して様々な情報を報知するようになっている。具体的には、報知部５２は、例えば紙幣釣銭機１０の筐体１２の前面または上面に設けられたモニタ等からなる。なお、報知部５２は、紙幣釣銭機１０に通信接続された上位装置６０に設けられてもよい。また、操作部５４は、操作者が制御部５０に対して様々な指令を行う際に用いられるようになっている。具体的には、操作部５４は、例えば紙幣釣銭機１０の筐体１２の前面または上面に設けられたタッチパネルや操作キー等からなる。なお、操作部５４は、紙幣釣銭機１０に通信接続された上位装置６０に設けられてもよい。また、記憶部５６は、紙幣釣銭機１０における紙幣の処理状況等を記憶するようになっている。具体的には、記憶部５６は、例えば各収納繰出部２８に収納された紙幣の金種毎の枚数や金額等を記憶するようになっている。また、記憶部５６には、紙幣釣銭機１０に補充されるべき釣銭準備金としての紙幣の金種毎の枚数や金額、あるいは合計金額も予め記憶されている。
【００３９】
本実施の形態では、リサイクルカセット４４に設けられた記憶部４５には、当該リサイクルカセット４４に収納された紙幣に関しての紙幣釣銭機１０の識別部２６による識別結果、または釣銭準備金に係る情報が記憶されるようになっている。なお、記憶部４５に両方の情報が記憶されるようになっていてもよい。ここで、「釣銭準備金に係る情報」とは、紙幣釣銭機１０に補充されるべき釣銭準備金の金種毎の枚数や金額、あるいは合計金額のことをいう。また、リサイクルカセット４４として図４（ｂ）に示すようなテープリール式のものが用いられる場合には、当該リサイクルカセット４４に収納される紙幣の順番、具体的にはドラム４４ｃにより紙幣が巻き取られる順番も「釣銭準備金に係る情報」として記憶部４５に記憶されるようになる。
【００４０】
次に、このような構成からなる紙幣釣銭機１０の動作について説明する。なお、以下に示す紙幣釣銭機１０の動作は、制御部５０が紙幣釣銭機１０の各構成要素を制御することにより行われるようになっている。
【００４１】
まず、紙幣釣銭機１０から売上金としての紙幣を回収する動作について説明する。紙幣釣銭機１０から紙幣を回収するにあたり、まず、図４（ａ）に示すような回収カセット４２をカセット装着部４０に予め装着しておく。そして、紙幣釣銭機１０における紙幣の在高、すなわち各収納繰出部２８に収納されている紙幣の在高から、釣銭準備金として予め設定された金額を差し引いた金額の紙幣を回収カセット４２に収納させる。より詳細には、各収納繰出部２８から紙幣を１枚ずつ搬送部２４に繰り出し、カセット装着部４０に装着された回収カセット４２に対して搬送部２４により紙幣を１枚ずつ送るようにする。ここで、「釣銭準備金として予め設定された金額」は、記憶部５６に予め記憶されるようになっている。その後、カセット装着部４０から回収カセット４２を取り外し、この回収カセット４２ごと紙幣を回収する。
【００４２】
次に、図４（ｂ）に示すようなリサイクルカセット４４をカセット装着部４０に装着する。そして、釣銭準備金として予め設定された金額の紙幣をリサイクルカセット４４に収納させる。より詳細には、各収納繰出部２８から紙幣を１枚ずつ搬送部２４に繰り出し、カセット装着部４０に装着されたリサイクルカセット４４に対して搬送部２４により紙幣を１枚ずつ送るようにする。また、リサイクルカセット４４に設けられた記憶部４５には、当該リサイクルカセット４４に収納された紙幣に関しての紙幣釣銭機１０の識別部２６による識別結果が読み書き部４６により書き込まれる。また、この記憶部４５には、釣銭準備金に係る情報（具体的には、紙幣釣銭機１０に補充されるべき釣銭準備金の金種毎の枚数や金額、あるいは合計金額）も読み書き部４６により書き込まれるようになる。また、リサイクルカセット４４として図４（ｂ）に示すようなテープリール式のものが用いられる場合には、記憶部４５には、リサイクルカセット４４に収納される紙幣の順番、具体的にはドラム４４ｃにより紙幣が巻き取られる順番も読み書き部４６により書き込まれるようになる。その後、カセット装着部４０からリサイクルカセット４４を取り外し、このリサイクルカセット４４ごと紙幣を回収する。このようにして、紙幣釣銭機１０内の紙幣の在高が０となる。
【００４３】
次に、紙幣釣銭機１０に釣銭準備金としての紙幣を補充する動作について説明する。紙幣釣銭機１０に釣銭準備金としての紙幣を補充するにあたり、前述の回収動作にて回収されたリサイクルカセット４４をカセット装着部４０に装着する。そして、記憶部４５に記憶された紙幣の収納順序に基づいて、このリサイクルカセット４４から紙幣が繰り出され、繰り出された紙幣は搬送部２４によって各収納繰出部２８に送られるようになる。この際に、リサイクルカセット４４の記憶部４５に記憶された情報が読み書き部４６により読み取られ、読み書き部４６により読み取られた情報が紙幣釣銭機１０の記憶部５６に書き込まれるようになる。
【００４４】
なお、本実施の形態では、店舗に紙幣釣銭機１０が複数台設置されているときに、１つのリサイクルカセット４４により、複数の紙幣釣銭機１０から釣銭準備金に係る紙幣を回収することができるようになっている。具体的には、ある一つの紙幣釣銭機１０においてカセット装着部４０にリサイクルカセット４４を装着し、当該紙幣釣銭機１０において釣銭準備金として予め設定された金額の紙幣をこのリサイクルカセット４４に収納させた後、リサイクルカセット４４をカセット装着部４０から取り外す。その後、別の紙幣釣銭機１０のカセット装着部４０に当該リサイクルカセット４４を装着し、当該紙幣釣銭機１０において釣銭準備金として予め設定された金額の紙幣をこのリサイクルカセット４４に収納させる。このようにして、１つのリサイクルカセット４４により、複数の紙幣釣銭機１０から釣銭準備金に係る紙幣を回収することができる。
【００４５】
その後、複数の紙幣釣銭機１０に釣銭準備金としての紙幣を補充する際には、前述の回収動作にて回収されたリサイクルカセット４４を各紙幣釣銭機１０のカセット装着部４０に順番に装着する。このようにして、記憶部４５に記憶された、各紙幣釣銭機１０の釣銭準備金に係る情報に基づいて、各紙幣釣銭機１０に釣銭準備金としての紙幣が補充されるようになる。この際に、リサイクルカセット４４の記憶部４５に記憶された情報が各紙幣釣銭機１０の読み書き部４６により読み取られ、読み書き部４６により読み取られた情報が各紙幣釣銭機１０の記憶部５６に書き込まれるようになる。
【００４６】
なお、店舗に紙幣釣銭機１０が複数台設置されているときに、回収カセット４２は各紙幣釣銭機１０に対応して複数設けられるようになる。そして、各回収カセット４２により、対応する紙幣釣銭機１０から売上金としての紙幣がそれぞれ回収されるようになる。
【００４７】
また、店舗に紙幣釣銭機１０が複数台設置されているときに、リサイクルカセット４４の記憶部４５には、紙幣釣銭機１０の個体識別情報（具体的には、紙幣釣銭機１０のＩＤ情報）が記憶されるようになっていてもよい。この場合には、各紙幣釣銭機１０に紙幣を補充する際に、紙幣釣銭機１０の記憶部５６に記憶されている個体識別情報と、リサイクルカセット４４の記憶部４５に記憶されている個体識別情報とが一致しているか否かを確認し、両者の個体識別情報が一致した場合には、紙幣釣銭機１０への紙幣の補充が許可され、紙幣の補充が行われるようになる。また、紙幣釣銭機１０への紙幣の補充が行われた場合には、リサイクルカセット４４の記憶部４５に記憶された個体識別情報の削除（消し込み）が行われる。一方、両者の個体識別情報が一致しない場合、すなわち釣銭準備金としての紙幣を回収していない紙幣釣銭機１０にリサイクルカセット４４が装着されたときには、この紙幣釣銭機１０へのリサイクルカセット４４からの紙幣の補充が禁止されるようになる。また、この場合には、「釣銭準備金としての紙幣を回収していない紙幣釣銭機１０にリサイクルカセット４４が装着された」という情報が制御部５０から出力されるようになっていてもよい。制御部５０により出力された情報は、例えば報知部５２により操作者に報知されたり、インターフェース５８を介して上位装置６０に送信されたりするようになる。
【００４８】
また、各紙幣釣銭機１０に紙幣を補充する際に、釣銭準備金としての紙幣が前述の回収動作にて回収された紙幣釣銭機１０の一覧表等の情報が制御部５０から出力されるようになっていてもよい。制御部５０により出力された情報は、例えば報知部５２により操作者に報知されたり、インターフェース５８を介して上位装置６０に送信されたりするようになる。このことにより、どの紙幣釣銭機１０にリサイクルカセット４４を装着するかについて、制御部５０により出力された情報に基づいて操作者は容易かつ確実に認識することができるようになる。
【００４９】
以上のように本実施の形態の紙幣処理方法および紙幣釣銭機１０によれば、紙幣釣銭機１０から紙幣を回収する際に、第１の収納カセットとして回収カセット４２を紙幣釣銭機１０に装着し、この紙幣釣銭機１０の紙幣の在高から釣銭準備金として予め設定された金額を差し引いた金額の紙幣を回収カセット４２に収納させ、その後回収カセット４２を紙幣釣銭機１０から回収する。また、第２の収納カセットとしてリサイクルカセット４４を紙幣釣銭機１０に装着し、釣銭準備金として予め設定された金額の紙幣をリサイクルカセット４４に収納させ、その後リサイクルカセット４４を紙幣釣銭機１０から回収する。このように、釣銭準備金に係る紙幣を用意するにあたり、回収カセット４２により回収された紙幣の中から翌日の釣銭準備金に係る紙幣を手動で取り分ける必要が無くなるため、操作者に大きな負担をかけることがない。また、第２の収納カセットとしてのリサイクルカセット４４に収納された紙幣については、紙幣釣銭機１０のカセット装着部４０に当該リサイクルカセット４４を装着しない限り、外部から取り出すことができないようになっているため、防盗性を向上させることができる。
【００５０】
なお、上記説明では、紙幣釣銭機１０から紙幣を回収する際に、まず回収カセット４２を紙幣釣銭機１０に装着し、その後リサイクルカセット４４を紙幣釣銭機１０に装着するような例について説明したが、回収カセット４２およびリサイクルカセット４４を紙幣釣銭機１０に装着する順番はこのような例に限定されることはない。他の態様として、紙幣釣銭機１０から紙幣を回収する際に、最初にリサイクルカセット４４を紙幣釣銭機１０に装着し、釣銭準備金として予め設定された金額の紙幣をリサイクルカセット４４に収納して当該リサイクルカセット４４を紙幣釣銭機１０から回収した後、回収カセット４２を紙幣釣銭機１０に装着してもよい。
【００５１】
また、本実施の形態では、前述のように、リサイクルカセット４４には、紙幣の繰り出しを行う繰出機構（具体的には、一対のテープ４４ａ、４４ｂおよびドラム４４ｃ）が設けられており、紙幣釣銭機１０に紙幣を補充する際に、釣銭準備金として予め設定された金額の紙幣が収納されたリサイクルカセット４４を紙幣釣銭機１０に装着し、リサイクルカセット４４に収納された紙幣を繰出機構により当該リサイクルカセット４４から繰り出して紙幣釣銭機１０に補充するようになっている。
【００５２】
また、本実施の形態では、リサイクルカセット４４には、当該リサイクルカセット４４に収納された紙幣に関しての紙幣釣銭機１０の識別部２６による識別結果、または釣銭準備金に係る情報を記憶するための記憶部４５が設けられている。なお、前述したように、記憶部４５に両方の情報が記憶されるようになっていてもよい。そして、リサイクルカセット４４に収納された紙幣を紙幣釣銭機１０に補充する際に、リサイクルカセット４４の記憶部４５に記憶された情報を、紙幣釣銭機１０に設けられた記憶部５６に書き込むようになっている。
【００５３】
また、本実施の形態では、紙幣釣銭機１０における同一の収容スペース（具体的には、カセット装着部４０）に、第１の収納カセットとしての回収カセット４２および第２の収納カセットとしてのリサイクルカセット４４の何れも選択的に収容させることができるようになっている。また、第１の収納カセットとしての回収カセット４２は、紙幣が積層状態で収納されるスタッカタイプのものである。
【００５４】
また、本実施の形態では、１つのリサイクルカセット４４により、複数の紙幣釣銭機１０から釣銭準備金に係る紙幣を回収することができるようになっている。
【００５５】
なお、本発明による紙幣処理方法および紙幣釣銭機は、上記の態様に限定されるものではなく、様々の変更を加えることができる。例えば、紙幣釣銭機に着脱自在に装着される回収カセットとして、図４（ａ）に示すようなスタッカ式のものが用いられることに限定されることはない。紙幣釣銭機に着脱自在に装着される回収カセットとして、リサイクルカセットと同じ構成のもの、すなわち図４（ｂ）に示すようなテープリール式のものが用いられてもよい。この場合には、回収カセットにも、リサイクルカセットと同様に、紙幣の繰り出しを行う繰出機構が設けられるようになる。
【００５６】
また、本発明による紙幣釣銭機は、１つのカセット装着部に、第１の収納カセットとしての回収カセット４２および第２の収納カセットとしてのリサイクルカセット４４の何れも選択的に収容させることができるものに限定されることはない。変形例に係る紙幣釣銭機１０ａの構成について図５を用いて説明する。図５に示すように、変形例に係る紙幣釣銭機１０ａでは、２つのカセット装着部４０、７０が設けられている。ここで、上方のカセット装着部７０には、図４（ａ）に示すような回収カセット４２が着脱自在に装着され、下方のカセット装着部４０には、図４（ｂ）に示すようなリサイクルカセット４４が着脱自在に装着されるようになっている。また、この下方のカセット装着部４０には、図２に示す紙幣釣銭機１０と同様に、カセット装着部４０に装着されたリサイクルカセット４４の記憶部４５に対して例えば非接触で情報の読み書きを行う読み書き部４６が設けられている。
【００５７】
図５に示すような紙幣釣銭機１０ａでも、図２等に示すような紙幣釣銭機１０と同様に、紙幣釣銭機１０ａから紙幣を回収する際に、第１の収納カセットとして回収カセット４２を紙幣釣銭機１０ａにおける上方のカセット装着部７０に装着し、この紙幣釣銭機１０ａの紙幣の在高から釣銭準備金として予め設定された金額を差し引いた金額の紙幣を回収カセット４２に収納させ、その後回収カセット４２を紙幣釣銭機１０ａから回収する。また、第２の収納カセットとしてリサイクルカセット４４を紙幣釣銭機１０ａにおける下方のカセット装着部４０に装着し、釣銭準備金として予め設定された金額の紙幣をリサイクルカセット４４に収納させ、その後リサイクルカセット４４を紙幣釣銭機１０ａから回収する。
【００５８】
また、本発明による紙幣釣銭機を備えた貨幣処理システムは、フロント領域に紙幣釣銭機が設置されるとともにバックヤード領域に紙幣出納装置および上位端末が設置され、これらの紙幣釣銭機、紙幣出納装置および上位端末が通信接続されるようになっていてもよい。この場合には、フロント領域に設置された紙幣釣銭機およびバックヤード領域に設置された紙幣出納装置の情報が上位端末で管理されるようになる。具体的には、フロント領域に設置された紙幣釣銭機に装着されるリサイクルカセットの記憶部には、当該リサイクルカセットのＩＤ情報が記憶されており、リサイクルカセットが紙幣釣銭機に装着されると、紙幣釣銭機がリサイクルカセットの記憶部に記憶された当該リサイクルカセットのＩＤ情報を読み取り、上位端末に送信する。その後、紙幣釣銭機で補充コマンドを選択すると、紙幣釣銭機が上位端末に問い合わせを行い、上位端末側で紙幣釣銭機のＩＤ情報およびリサイクルカセットのＩＤ情報を確認し、補充を行ってもよいリサイクルカセットであるか否かの判定が行われる。そして、補充を行ってもよいリサイクルカセットであることが上位端末側で確認されると、補充許可の指令が上位端末から紙幣釣銭機に通知され、紙幣釣銭機において紙幣の補充が許可される。一方、補充を行ってもよいリサイクルカセットではないことが上位端末側で確認されると、補充禁止の指令が上位端末から紙幣釣銭機に通知され、紙幣釣銭機において紙幣の補充が禁止される。このようにして、フロント領域に設置された紙幣釣銭機における紙幣の補充の可否が上位端末で管理されるようになる。
【符号の説明】
【００５９】
１０  紙幣釣銭機
１２  筐体
２０  入金部
２１  入金部カバー
２２  出金部
２３  出金部シャッタ
２４  搬送部
２６  識別部
２８  収納繰出部
３０  紙幣検知センサ
４０  カセット装着部
４２  回収カセット
４２ａ  集積部
４４  リサイクルカセット
４４ａ、４４ｂ  一対のテープ
４４ｃ  ドラム
４５  記憶部
４６  読み書き部
５０  制御部
５２  報知部
５４  操作部
５６  記憶部
５８  インターフェース
６０  上位装置
７０  カセット装着部
【図１】
2014010672.tif 000003
【図２】
2014010672.tif 000004
【図３】
2014010672.tif 000005
【図４】
2014010672.tif 000006
【図５】
2014010672.tif 000007